(57)【要約】【課題】間違ったボールの握り方を教わったりして、その球種を投げられなかつたり、おかしなボールの握り方で指手を傷めたりすることがあった。各球種を覚えるのにボールをどの様に握れば良いのかをわかりやすく提供する。【解決手段】球種を覚える時、練習投球をするときは、球体内側表面に表示されているボール握る指手の位置の上に球体外側から透視されて見える球体内側の指手の上に指手を重ね置き球体を握る、透明な球体内側に表示された各球種の白いボールの握り方を球体外側確認でき各球種の握り方を覚えられる用具である。【選択図】  図１
2019092545.tif 000002
【特許請求の範囲】
【請求項１】
野球又はソフトボールの各球種の握った時の指手の位置を透明な球体内側に印刷又はシールで表示し、前記表示された指手が球体外側から見え自分の指手を重ね球体を持つことで各球種のボール持ち方が分かるようにしたことを特徴とする練習用ボール。
【請求項２】
前記透明な球体の外側にボールの縫い目模様を凹凸で形成したことを特徴とする請求項１に記載の練習用ボール。
【請求項３】
前記透明な球体を二分割した半球体を組み合わせて形成したことを特徴とする請求項１又は請求項２に記載の練習用ボール。
【請求項４】
球体表面に各球種のボールの握り方を印刷又はシールで表示した球体を作り、その外側を透明な球体で覆ったことを特徴とする練習用ボール。
【請求項５】
前記外側を覆う透明な球体にボールの縫い目模様を凹凸で形成したことを特徴とする請求項４に記載の練習用ボール。
【請求項６】
ボール、各球種ボールを握っている指手を立体物表示、立体物表示されたボール、各球種ボールを握っている指手を軟性のあるプラスチック、シリコン等の透明な球体に埋め込み、透明な球体ボールを握った時に公式ボールを握った様な感触が得られるように透明な球体外側に凹凸を付けた立体物球体。
【発明の詳細な説明】
【技術分野】
【０００１】
本発明は、カーブ、フォーク等の各種変化球を簡単に投げることが出来、投球練習用としても有効な変化球等の練習用ボールに関するものである。本発明は、投手の各球種のボールの握り方を透明な球体内側に白いボールを持った各球種の指手表示し、透明な球体外側から見られるように表示し各球種の握り球体内側の白いボールの指手に合わせて球体外側に指手を合わせて球体を握り、各球種を覚える為のボールに関するものである。
【背景技術】
【０００２】
従来、投手がなげている球種の覚えるには、人から教えてもらったり写真や本をみたりしてボールの握り方を覚え投げていた。時には間違ったボール握り方してしまう事もあった。
【先行技術文献】
【特許文献】
【０００３】
【特許文献１】実用新案登録第３２０６５４９号公報
【発明の概要】
【発明が解決しようとする課題】
【０００４】
そのために次のような問題点があった。間違ったボールの握り方をしていたり教わったりして、その球種を投げられなかつたり、おかしなボールの握り方で指手を傷めたりすることがあった。ボールに直接表示されている握り方などは古くなったりすると消えてしまったりして不便であつた。
【課題を解決するための手段】
【０００５】
野球、ソフトボールと同じ大きさの透明な球体内側表面に各球種の白いボールを握った時の指手を表示し透明な球体外側表面から見えるようにし、透明な球体外側表面から見える球体内側に表示された各球種の指手の上に、指手合わせ重ねて球体握り各球種を覚える。
【発明の効果】
【０００６】
球種を覚えるには人から聞いたり、教わったりしていたのでいろいろな情報が入ってきて迷うこともあった。本考案は覚えたい球種のボールの握り方をボールのどの部分をどの様に、指手で握り投げれば良いのかをボールと同じ大きさの透明な球体内側に各球種ボールを握った時の指手を表示し、透明な外側球体表面から内側各球種ボールを握った指手を見られるように表示し、表記されている球体内側のボールを握った指手の上に、球体外側上から球体内側のボールを握った指手を合わせ重ね、球体を握り各球種ボールの握り方を覚える。球体外側表面に球体内側表面に表記されているボールの縫い目と同じ位置に球体外側表面に凹凸の縫い目模様を付ければボール握った感触を体感できる。なお、凹凸模様は切削等の機械加工で形成しても良いし、予め成形時に形成するようにしても良い。
各球種の表示方法が球体内側表示にされているので球体外側を何度握り持つても各球種ボールの握り方表示が見えにくくなることがない。                                              
【図面の簡単な説明】
【０００７】
【図１】本発明の透明な球体の内側表面に表記された指手図を球体外側上部から見た球体上部図
【図２】本発明の透明な球体の内側表面に表記された指手図を球体外側の薬指側から見た球体側部図
【図３】本発明の透明な球体の内側表面に表記された指手図を球体外側の正面から見た球体正面部図
【図４】本発明の透明な球体の内側表面に表記された指手図を球体外側の親指側から見た球体側部図
【図５】本発明の透明な球体を半球体にして半球体内側に各球種のボールの指手の握り方を表示した半球体側部図
【図６】本発明の球体表面に各球種のボール握り方を表示し各球種のボールの握り方を表示した球体表面に透明な半球体の上部を重ね着け、透明な半球体下部を表示した各球種の白いボールの握り方の重ね側面図。
【図７】本発明の１は各球種ボールの握り方のボールを持った指手を３Ｄ立体物成型にした図２は各球種のボールを握った指手３Ｄ立体物成型を透明な球体で埋め込まれた立体物図。
【図８】Ａはボールに指手を表示した側断面図、Ｂは透明な球体内側表面にボール、指手を表示した側断面図、Ｃは球体表面にボール、指手を表示しボール、指手を表示した球体に透明な球体を重ね合わせた球体側断面図
【発明を実施するための形態】
【０００８】
以下本発明の実施の形態について説明する。
図１について説明する。透明な球体８の内側表面に各球種のボールの握りを表示し、球体の外側表面から見えるボール握りをあらわした上部図である。この状態は、ボール７の握り方の人差し指２、中指３の位置が球体に表されている。前記指手は指や手の絵にて表示されている。または指や手の輪郭のみを線図等で表示しても良い。
図２について説明する。透明な球体８の内側表面に各球種のボール握りを表示し球体外側表面から見えるボール握りに合わせて球体外側を握りボール７の握り方の中指３、薬指４、小指５の位置を球体にあらわした薬指４側から見た側部図である。
図３について説明する。透明な球体８の内側表面に各球種のボール握りを表示し球体外側表面から見えるボール握りに合わせて球体外側を握りボール７の握り方の親指１、人差し指２、中指３、薬指４、小指５の球体にあらわした正面から見た正面図である。
図４について説明する。透明な球体８の内側表面に各球種のボール握りを表示し球体外側表面から見えるボール握りに合わせて球体外側を握りボール７の握り方の親指１、人差し指２の球体にあらわした親指側から見た側部図である。
図５について説明する。透明な球体８の内側に各球種のボール握り方を透明な球体外側に表示されるように透明な半球体１１を二つ作り半球体１１内側に各球種のボールの握り方指手を表示し、半球体上下部を合わせ球体にした。各球種の白いボールの握り方を球体外側から見た球体の半球体１１上下図である。
図６について説明する。球体１２を設け外側表面に各球種のボールの握り方を表示し、各球種の白いボールの握り方表示した表面上部に透明な半球体１１を上下左右重ね合わせ各球種ボールの握り方を透明な球体でカバーし外側表面から見られるように表示した球体である。
なお、外側の透明な球体は、必ずしも半球状でなくてもよく、要は透明なカバー体であればよい。更には、カバーは液体の中に漬けて球体１２を透明な被膜（コーティング）で覆って形成することも可能である。また、球体１２はどのような色であっても良い。できれば白色であれば通常のボールと同様であり、違和感なく練習に使用することができる。
図７について説明する。ボール７、各球種ボールを握っている１〜６の指手を立体物表示、立体物表示されたボール７、各球種ボールを握っている指手１〜６を軟性のあるプラスチック、シリコン等の透明な球体埋め込みボールを握った時に公式ボールを握った様な感触が得られるように透明な球体８で埋め込まれた立体物球体である。
図８について説明する。
Ａは従来例を示す。ボール上に各球種ボールの握り方を表示した側断面図である。ボールの外側に印刷等で表示されているので、何度も握ったりすることで汚れが付いたり、印刷部分が摩耗したり、剥がれ落ちたりして、握り方の表示が薄れてしまう恐れがあった。
Ｂは本発明の一例を断面図で表したものである。各球種ボールの握り方を透明な球体の内側表面に印刷、シールなどで表示した断面図である。
Ｃは本発明の他の実施例を断面図で表したものである。各球種ボールの握り方を球体表面に印刷、シールなどで表示し、印刷、シールなどで表示した球体表面に透明な球体を重ね着けた球体の断面図である。
【符号の説明】
【０００９】
１  親指
２  人差し指
３  中指  
４  薬指
５  小指
６  手
７  ボール
８  透明な球体
９  球体外側表面の凸凹のボールの縫い目
１０  内側表面のボールの縫い目
１１  透明な半球体
１２  球体
１３  印刷、シール
【図１】
2019092545.tif 000003
【図２】
2019092545.tif 000004
【図３】
2019092545.tif 000005
【図４】
2019092545.tif 000006
【図５】
2019092545.tif 000007
【図６】
2019092545.tif 000008
【図７】
2019092545.tif 000009
【図８】
2019092545.tif 000010
【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
野球又はソフトボールの各球種の握り方を各球種の握ったときの指手の位置として表示してなる練習用ボールにおいて、
ボールと各球種のボールを握っている指手とを立体物成型したボール７を透明な球体８に埋め込んでいることを特徴とする練習用ボール。